(57)【特許請求の範囲】
【請求項１】
野菜室(10)内のほぼ全域を占めるように上面を開口させて収納容器(17)を設けてなる冷蔵庫において、
前記収納容器(17)内の手前側に容積の小さい収納域を確保する仕切り部材(23)を着脱自在に設け、この収納域に大きさの異なる２個の小形容器(21,22)を備え、この小形容器(21,22)に前記仕切り部材(23)の上部縁端に掛けるフック部(24,25)を形成すると共に、一方の該小形容器(22)内に他方の該小形容器(21)全体が収容可能に構成したことを特徴とする冷蔵庫。
【請求項２】
前記仕切り部材の上部縁端に大形の飲料ボトルの胴部を受ける少なくとも１個の円弧状の凹部を形成したことを特徴とする請求項１記載の冷蔵庫。
【発明の詳細な説明】
【０００１】
【発明の属する技術分野】
本発明は冷蔵庫に係り、特に野菜室内において収納容器内の細区分域を変化させて大小様々な収納物を収納するのに好適な冷蔵庫に関する。
【０００２】
【従来の技術】
冷蔵庫の野菜室には形が様々である葉菜、根菜、果菜等の野菜を収納するために仕切りによる細区分域を持たない上面開口の収納容器が備えられる。形の小さい果実、果菜等の収納にはこの収納容器とは別にバスケットが用いられ、これは収納容器の上縁に着脱自在に設けられている。収納容器は細区分域を持たないことで、たとえば夏季等には広い収納空間を活かして複数本の大形の飲料ボトル等も同時に収納するなど、臨機の使用にも十分に応えることが可能である。
【０００３】
また、野菜と飲料ボトルとの混在を避けて飲料ボトル専用の収納域を仕切りによって細区分している収納容器も一部にある。しかし、収納する野菜等の形によってはこの細区分された収納域に納まらない場合があり、順応性を大きく損ねることになる。
【０００４】
【発明が解決しようとする課題】
野菜室の収納容器は順応性の高い仕切りによる細区分域を持たない容器が好ましい。しかし、細区分域がないために様々な形をした野菜が器内全域で乱雑に並ぶことが避けられず、ときに整理がつかなくなることがある。また、一度整理した後でも、一部の野菜の取り出しにより安定していた並びが崩れることがあり、収納物の整理に手間取ることがしばしば起こる。
【０００５】
より整理し易くするには収納容器内を固定した仕切りによって細区分すればよいが、このような恒常的な収納域として器内を細区分してしまっては順応性を損ねてしまい臨機の使用に十分に応えられなくなる。
【０００６】
そこで、本発明の目的は収納容器内において様々な形をした野菜等の整理が容易で、しかも臨機の使用にも十分に応えられるようにした冷蔵庫を提供することにある。
【０００７】
【課題を解決するための手段】
上記目的を達成するために本発明は、野菜室内のほぼ全域を占めるように上面を開口させて収納容器を設けてなる冷蔵庫において、前記収納容器内の手前側に容積の小さい収納域を確保する仕切り部材を着脱自在に設け、この収納域に大きさの異なる２個の小形容器を備え、この小形容器に前記仕切り部材の上部縁端に掛けるフック部を形成すると共に、一方の該小形容器内に他方の該小形容器全体が収容可能に構成したことを特徴とするものである。
【０００８】
【０００９】
【００１０】
【００１１】
また、請求項２に係る発明は仕切り部材の上部縁端に大形の飲料ボトルの胴部を受ける少なくとも１個の円弧状の凹部を形成したことを特徴とするものである。
【００１２】
【発明の実施の形態】
以下、本発明の実施の形態を図面を参照して説明する。図４において、冷蔵庫は前面全域を開口として形成される冷蔵庫本体１を有する。この冷蔵庫本体１は鋼板からなる外箱２と、硬質樹脂材料からなる内箱３との間に発泡ウレタン等の断熱材４を充填して構成されている。また、この冷蔵庫本体１の内部はその内部に断熱材５を充填して構成される中間仕切り壁６、７、８によってそれぞれ独立した冷蔵室９、野菜室１０および冷凍室１１、１２に区画されている。
【００１３】
さらに、冷蔵室９の前面開口は気密の高い回動式断熱扉１３によって密閉されている。また、野菜室１０の前面開口は気密の高い引き出し式断熱扉１４によって、さらに冷凍室１１および冷凍室１２の前面開口は気密の高い引き出し式断熱扉１５、１６によってそれぞれ密閉されている。野菜室１０内には後に詳述される収納容器１７が設けられている。また、冷凍室１１、１２内には上面開口の収納容器１８、１９が設けられている。これらの収納容器１７、１８、１９はそれぞれ断熱扉１４、１５、１６と連結されており、断熱扉１４、１５、１６を引き出したとき、同時に引き出すことができるようになっている。野菜室１０内に備えられる収納容器１７は、図５に示すように矩形に形成され、内部にはバスケット２０、２個一組の小形容器２１、２２が備えられる。
【００１４】
これらの収納容器１７、バスケット２０および小形容器２１、２２を改めて図１に示している。収納容器１７は硬質樹脂材料からなり、上面全域を開口として形成されている。また、バスケット２０および小形容器２１、２２も同様に硬質樹脂材料で製作され、上面全域を開口として形成されている。このバスケット２０は左右の両端部を収納容器１７の上部縁端に載せるようにして着脱可能に設けられている。また、小形容器２１、２２はそれぞれ収納容器１７の底部に立てて装着される仕切り部材２３の上部縁端に後記のフック部を掛けるようにして着脱可能に設けられている。
【００１５】
小形容器２１、２２および仕切り部材２３の詳細を図２に示している。小形容器２１には図２（ａ）に示すように、仕切り部材２３の上部縁端に掛けるフック部２４が形成される。また、図２（ｂ）に示すように、小形容器２２には同様に仕切り部材２３の上部縁端に掛けるフック部２５が形成される。さらに、この本実施の形態の小形容器２１、２２は小形容器２２内に小形容器２１全体が収容可能に構成される。
【００１６】
一方、仕切り部材２３には図２（ｃ）に示すように、後記の収納容器１７の底部に近い側面に形成される細長い突起と嵌合する縦方向の溝２６が形成される。また、仕切り部材２３には長手方向の各端部近くに飲料ボトルの胴部を受ける円弧状の凹部２７がそれぞれ形成される。
【００１７】
また、図３に示すように収納容器１７の底部に近い側面に縦方向に延びる細長い第１の突起２８および第２の突起２９が形成されている。第１の突起２８は収納容器１７内の手前側に容積の小さい収納域を確保するように収納容器１７の前面の壁から一定の距離をおいて設けられる。これに対し、第２の突起２９は収納容器１７の前面の壁に接近して設けられる。この第１および第２の突起２８、２９の厚みについては仕切り部材２３の溝２６の口幅より小さく、仕切り部材２３の溝２６をそれぞれの突起２８、２９に嵌め込むことで、仕切り部材２３を立てて装着することができるようになっている。この第１および第２の突起２８、２９は対峙する２つの側面に一組づつ形成されている。
【００１８】
上記構成からなる収納容器１７においては小形容器２１、２２および仕切り部材２３を収納の各場面に応じて適切に移し換えて臨機の使い方が可能になる。細長い形の果菜あるいは葉菜（たとえば、きゅうり、アスパラ、ほうれん草など）の収納においては図６（ａ）に示すように、第１の突起２８に合わせて仕切り部材２３を立て、その上部縁端にそれぞれフック部２４、２５を掛けて小形容器２１、２２を仕切り部材２３の手前側の収納域にセットする。この小形容器２１、２２内にきゅうり等の野菜を立てた状態で収納することで、野菜が倒れるのを確実に防ぎ、手際よく整理することができる。小形容器２１に隣接する仕切り部材２３により細区分された収納域にも同様に立てて納めることが可能である。仕切り部材２３の奥に細区分された収納域には大形の葉菜（たとえば、キャベツ、レタスなど）あるいは根菜（たとえば、大根、さつまいもなど）を収納する。果菜で転がり易いものはバスケット２０内に収納する。
【００１９】
さらに、細長い形の果菜あるいは葉菜の量が多く、また、同時に牛乳パックもしくはジュースパックなど立てて納める収納物が多いときは図６（ｂ）に示すように、小形容器２１、２２を仕切り部２３の外側の収納域にセットする。この場合、倒れ易い果菜あるいは葉菜を小形容器２１、２２内に納め、倒れにくい牛乳パック等は仕切り部材２３の手前側の収納域に収納するのが望ましい。この小形容器２１、２２はフック部２４、２５を使用して簡単にセットし直すことができ、無駄な時間を費やすことなく、手際よく整理することが可能である。
【００２０】
一方、大形の葉菜（たとえば、キャベツ、レタスなど）あるいは果菜（たとえば、すいか、カボチャなど）が多いときは図６（ｃ）に示すように、第２の突起２９に合わせて仕切り部材２３を立て、小形容器２１を小形容器２２内に納めて小形容器２２を仕切り部材２３の外側の収納域にセットする。このような配置により収納容器１７内には実質的に細区分域を持たないものと同様な広い収納域を確保することができる。この十分に広い収納域にキャベツ、カボチャなどの大形の野菜を複数個同時に収納することが可能になる。
【００２１】
従来の固定された仕切りと異なり、本実施の形態の仕切り部材２３は容易に移し換えることができ、収納容器１７に備わる高い順応性を少しも損ねない。
【００２２】
また、たとえば夏季における飲料ボトルの収納時のように収納物が増したときは図６（ｄ）に示すように、第１の突起２８に合わせて仕切り部材２３を立て、小形容器２２内に小形容器２１を納めてこれを仕切り部材２３の手前側の収納域にセットする。この配置においては大形の飲料ボトル（たとえば１．５ないし２リットル）を図３に示すように、仕切り部材２３の凹部２７に合わせて斜めに傾けて収納する。
【００２３】
飲料ボトル専用の収納域を収納容器１７内に形成するものが恒常的な収納域として順応性を少なからず損ねてしまうのと比べ、本実施の形態は移動の容易な仕切り部材２３自身を支持体として形成するもので、シーズン外など、特に必要のないときは飲料ボトル専用の収納域として固定されることなく、仕切り部材２３を移し換えて簡単に収納域を別の収納物のために振り向けることができる。
【００２４】
このように本実施の形態の収納容器１７においては収納の各場面に応じて仕切り部材２３を適切に移し変え、また小形容器２１、２２をセットし直して多様な形をした野菜等を手際よく整理することができる。しかも、仕切り部材２３は着脱自在に構成したもので、臨機の使用にも十分に応えることが可能である。なお、本実施の形態の小形容器２１、２２は２個一組とせず、いずれか１個のみで構成してもよい。
【００２５】
【発明の効果】
以上説明したように本発明においては、仕切り部材により容積の小さい収納域を確保することができ、様々な形をした野菜等の整理が極めて容易であって、しかも臨機の使用にも十分に応えることが可能である。
【００２６】
さらに、小さい容積の収納域に小形容器をセットすることで、特に細長い形の果菜あるいは葉菜を手際よく整理することができる。
【００２７】
また、一方の小形容器内に他方の小形容器全体を収容することで、収納容器内に広い収納域を確保することができ、特に大形の葉菜あるいは果菜を手際よく整理することが可能である。
【００２８】
さらに、小形容器のフック部を仕切り部材の上部縁端に掛けることで、収納域間で小形容器を簡単にセットし直すことができ、野菜等の整理において無駄な時間を費やすことなく、手際よく整理することが可能である。
【００２９】
また、請求項２に係る発明においては、大形の飲料ボトルの胴部を仕切り部材の凹部に合わせることで、飲料ボトルを斜めに傾けて収納することができ、専用の収納域として固定されることなく、仕切り部材を移し換えて簡単に収納域を別の収納物のために振り向けることが可能である。
【図面の簡単な説明】
【図１】本発明に係る収納容器を示す斜視図。
【図２】（ａ）（ｂ）は本発明に係る小形容器を示す斜視図。（ｃ）は本発明に係る仕切り部材を示す斜視図。
【図３】本発明に係る収納容器の詳細を示す断面図。
【図４】本発明に係る冷蔵庫の縦断面図。
【図５】本発明に係る冷蔵庫の横断面図。
【図６】（ａ）（ｂ）（ｃ）（ｄ）は収納容器の使い方を説明するための図。
【符号の説明】
１  冷蔵庫本体
１０  野菜室
１７  収納容器
２０  バスケット
２１、２２  小形容器
２３  仕切り部材
２８  第１の突起
２９  第２の突起
【図１】
0003568342.tif 000002
【図２】
0003568342.tif 000003
【図３】
0003568342.tif 000004
【図４】
0003568342.tif 000005
【図５】
0003568342.tif 000006
【図６】
0003568342.tif 000007